(57)【特許請求の範囲】
【請求項１】
各段を構成し、四隅に立ち上がり嵌合部を有する複数のフレームと、各フレームの四隅に設けた前記立ち上がり嵌合部に嵌合、立設して枠体を構成する複数の支柱と、フレームと支柱で構成した枠体に挿脱可能で、上方に拡開する収納部を有する複数の引き出しと、前記枠体の最上段を覆う天板とからなる組立式収納キャビネットにおいて、上記フレームの四隅に設ける立ち上がり嵌合部は、支柱の下端嵌合部が嵌合する細幅の第１嵌合部を外側に設けると共に、この第１嵌合部より高さの低い第２嵌合部をその内側に設けて、嵌合部を２段の構成とし、左右の外側の第１嵌合部間の距離を上記引き出しの収納部の上縁が嵌入可能な大きさとしたことを特徴とする組立式収納キャビネット。
【請求項２】
支柱が、上端に上段のフレームの下面に嵌合する上端嵌合片を有し、下端にフレームの第１嵌合部に設けた第１嵌合孔に嵌入係止する下端嵌合片を有するものである請求項１に記載の組立式収納キャビネット。
【請求項３】
支柱が、更に下端の一部を延長してフレームの第２嵌合部に設けた第２嵌合孔に嵌入係止する下端延長嵌合片を有するものである請求項２に記載の組立式収納キャビネット。
【発明の詳細な説明】
【０００１】
【発明の属する技術分野】
この発明は、工場出荷時などにできるだけコンパクトに梱包できるようにした組立式収納キャビネットに関するものである。
【０００２】
【従来の技術】
従来から、最終組立を顧客に委ねる組立式収納キャビネットが種々ある。これらは最終組立を顧客が行うものであるから、できるだけ簡便に組み立てることができるように簡単な構成が好ましいが、それと同時に、工場出荷時の梱包状態では、可能な限りコンパクトにすることが望まれる。それは、体積を小さくすることによって輸送コストが削減できるからであり、また顧客にとっても、持ち帰りが容易となるからである。
【０００３】
従来の組立式収納キャビネットの一般的な構成の概略を図４に示す。図４（Ａ）は組立時の正面、同図（Ｂ）▲１▼、▲２▼はそれぞれ梱包時の正面の態様を示すものである。図に示すように、この種のキャビネットは一般に、各段を構成する複数のフレーム（イ）と、各フレーム（イ）の四隅に立設して上下フレーム間を接続する支柱（ロ）と、上記フレーム（イ）と支柱（ロ）で構成された枠体に挿脱する複数の引き出し（ハ）と、最上段を覆う天板（ニ）とから構成されている。
【０００４】
【発明が解決しようとする課題】
この組立式収納キャビネットを梱包する場合、例えば同図（Ｂ）▲１▼のようにフレーム（イ）だけを積み重ね、さらに引き出し（ハ）をその上に積み重ねると、フレームに多大な荷重がかかり、各フレーム中央が下方に撓んで変形してしまい、商品価値を損なうものとなっていた。また、この変形を防止するためには各フレーム間に別途支持部材を挟む必要があり、不要な部品が増えてコスト高となると共に、ゴミの増加にも繋がるものであった。
【０００５】
そこで、同図（Ｂ）▲２▼のようにフレームの一つを引き出しの上に表裏逆向きに積み重ねる梱包方法が考えられる。これによってフレームに対する荷重は軽減されるが、なお図示のようにフレームと引き出しの間に隙間が生じ、フレームの変形を完全に防止することはできなかった。
【０００６】
これは、各フレームにおいて、少なくともその四隅に支柱を立設するための立ち上がり嵌合部（ホ）が必要であり、この立ち上がり嵌合部（ホ）には支柱が上下方向からそれぞれ嵌入するから、フレームの他の部分に比べて相当の高さを必要とするものであったからである。そのため、フレームと引き出しを重ねても、この立ち上がり嵌合部（ホ）の高さによって部材間に不要な間隙を生じていたのである。
【０００７】
本発明は、特に梱包時にフレームを引き出しの上縁に表裏逆向きに重ねたときに生じる上記不要な間隙の発生をなくし、フレームの変形を防止すると共に、従来より更にコンパクトに梱包できるようにした組立式収納キャビネットを提供することを目的としたものである。
【０００８】
【課題を解決するための手段】
本発明は上記課題を解決するため、各段を構成し、四隅に立ち上がり嵌合部を有する複数のフレームと、各フレームの四隅に設けた前記立ち上がり嵌合部に嵌合、立設して枠体を構成する複数の支柱と、フレームと支柱で構成した枠体に挿脱可能で、上方に拡開する収納部を有する複数の引き出しと、前記枠体の最上段を覆う天板とからなる組立式収納キャビネットにおいて、上記フレームの四隅に設ける立ち上がり嵌合部は、支柱の下端嵌合部が嵌合する細幅の第１嵌合部を外側に設けると共に、この第１嵌合部より高さの低い第２嵌合部をその内側に設けて、嵌合部を２段の構成とし、左右の外側の第１嵌合部間の距離を上記引き出しの収納部の上縁が嵌入可能な大きさとするという手段を採用した。
【０００９】
かかる構成の収納キャビネットは、梱包時において、フレームの一つを表裏逆に引き出しに重ねた場合に、引き出し上縁が左右の第１嵌合部間に陥入するので、引き出し上縁とフレームの間に不要な間隙を生じることがなく、フレームの撓みによる変形を防止するものである。
【００１０】
また、支柱が、上端に上段のフレームの下面に嵌合する上端嵌合片を有し、下端にフレームの第１嵌合部に設けた第１嵌合孔に嵌入係止する下端嵌合片を有するものとするという手段を採用した。
【００１１】
支柱の上下端がそれぞれ上段または下段のフレームに嵌合して引き出しを挿脱する枠体を構成するものである。
【００１２】
この場合、支柱が、更に下端の一部を延長してフレームの第２嵌合部に設けた第２嵌合孔に嵌入係止する下端延長嵌合片を有するものとするという手段を採用した。
【００１３】
支柱下端が下端嵌合片と下端延長嵌合片の２箇所で立ち上がり嵌合部に嵌合するから、支柱の強度がより大きくなるものである。
【００１４】
【発明の実施の形態】
以下、本発明にかかる組立式収納キャビネットの好ましい実施形態を図面に従って従来のものと対比しながら説明する。図１（Ａ）は本発明にかかる収納キャビネットの部分分解図、（Ｂ）はその梱包時の説明図である。また、図２は同様に従来の収納キャビネットの分解図、説明図である。なお、各図において、一部のフレームや引き出し、天板等は図示を省略している。
【００１５】
図１において、１はキャビネットの各段部を構成するフレームであって、四隅に支柱３を嵌合、立設するための立ち上がり嵌合部２を設けたものである。図２に示す従来のフレーム１１の立ち上がり嵌合部１２は、支柱１３の下端に設けた下端嵌合片１３ｂの大きさに見合う幅と高さを有するものであったが、本発明における立ち上がり嵌合部２は、外側に従来と同じ高さであるが従来より細幅の第１嵌合部２ａを設け、その内側に高さの低い第２嵌合部２ｂを設けて２段に構成している。
【００１６】
ここで左右の第１嵌合部２ａ、２ａ間の距離は上方に拡開した収納部４ａを有する引き出し４の上縁４ｂの幅より広くして、図１（Ｂ）に示すように、フレーム１を裏表逆にして引き出し４に重ねたときに、引き出し４の上縁４ｂが第２嵌合部２ｂに接して第１嵌合部２ａ間に陥入するようにしている。この点が図２（Ｂ）に示すように立ち上がり嵌合部１２全体が引き出し１４の上縁に重なって引き出し１４とフレーム１１の間に間隙を生じていた従来品と異なる点である。
【００１７】
次に、支柱３において、３ａは上段のフレームの下面に嵌合する上端嵌合片、３ｂは図３にも示すように下段のフレームの第１嵌合部２ａに設けた第１嵌合孔２ｃに嵌入係止する下端嵌合片である。また３ｃは支柱３の下端を一部延長して高さの低い第２嵌合部２ｂに設けた第２嵌合孔２ｄに嵌入係止する下端延長嵌合片である。従来の支柱１３は図２のように上端に上端嵌合片１３ａ、下端に下端嵌合片１３ｂを設けた構成であるが、本発明では立ち上がり嵌合部２を２段構成にしたことに伴い、嵌合片も長さの異なる２段構成としたものである。これにより支柱３を支承する強度が高くなった。なお、下端嵌合片３ｂのみで充分な強度が得られる場合には、下端延長嵌合片３ｃは省略することがある。
【００１８】
本発明にかかる収納キャビネットを組み立てる場合、最下段のフレーム１の上面の四隅に設けた２段構成の立ち上がり嵌合部２のそれぞれに、長さの異なる嵌合片３ｂ、３ｃを有する支柱３を嵌合、立設する。そして、各支柱の上端嵌合片３ａは上段のフレーム１の下面に嵌合して引き出し４を挿脱可能な段を構成する。これを必要な段数繰り返して枠体とし、最上段に天板を設ければ組立式収納キャビネットが完成する。
【００１９】
なお、工場出荷時などの梱包時には、図１（Ｂ）のように、最下段にフレーム１を一段だけ置き、その上に引き出し４を重ね、さらにフレーム１を表裏逆に重ねたうえにフレームと天板を重ねておくようにする。これにより引き出しの上縁４ｂがフレーム１の第２嵌合部２ｂに接して重なるので、従来よりコンパクトに梱包できることになる。なお、支柱３は積み重ねた引き出し４内に収納する。
【００２０】
【発明の効果】
以上述べたように、本発明にかかる組立式収納キャビネットは、フレームの立ち上がり嵌合部を２段構成とし、外側に第１嵌合部を設けると共にその内側に第１嵌合部より高さの低い第２嵌合部を設けたものであるから、特に梱包時に、フレームを表裏逆にして引き出しに重ねることによって、引き出し上縁が第２嵌合部に接してフレーム内に陥入するようになる。そのため、フレームと引き出しの間に不要な間隙が生じることがなく、フレームの中間部に撓みが生じることを確実に防止できるようになり、同時に、従来に比べて嵩を低くコンパクトに梱包できるようになった。
【００２１】
そのため、梱包体積を小さくすることができるから、輸送コストを削減することが可能となると共に、保管場所が小さくて済み、また顧客が持ち帰る際も便利になった。
【００２２】
また、引き出し上縁がフレーム内に陥入するから、フレームが左右にずれることがなく、安定した状態で梱包できるようになった。
【図面の簡単な説明】
【図１】（Ａ）は本発明にかかる収納キャビネットの部分分解図、（Ｂ）はその梱包時の説明図である。
【図２】（Ａ）は従来の収納キャビネットの部分分解図、（Ｂ）はその梱包時の説明図である。
【図３】支柱とフレームの関係を示す部分斜視図である。
【図４】（Ａ）は組立式収納キャビネットの一般的な構成の正面概略図、（Ｂ）は梱包時の正面の態様の例を示すものである。
【符号の説明】
１    フレーム
２    立ち上がり嵌合部
２ａ  第１嵌合部
２ｂ  第２嵌合部
３    支柱
３ａ  上端嵌合片
３ｂ  下端嵌合片
３ｃ  下端延長嵌合片
４    引き出し
４ｂ  上縁
【図１】
0003871253.tif 000002
【図２】
0003871253.tif 000003
【図３】
0003871253.tif 000004
【図４】
0003871253.tif 000005